(57)【要約】【課題】簡単な構造で、多焦点レンズにも対応可能な傾斜角度調整機能付きで、且つ、レンズ保護機能も有する眼鏡の提供。【解決手段】レンズフレーム（１０）が、吊下げ支持用フレーム（２０）の前方に位置し、互いに中央ワタリ部（３２，３０）で連結され、そして、前記レンズフレームが直立した状態から後方にほぼ１８０度回動し、レンズ表面（１１）が裏面側（Ｂ）に来るように設け、折り畳まれたテンプル（４０）によりレンズ表面が保護される様にし、更に、前記レンズフレームが直立した状態から後方にほぼ１８０度回動する間、任意の位置又は決められた位置で停止状態が保持出来るように設けた。【選択図】図１
2011133628.tif 000002
【特許請求の範囲】
【請求項１】
レンズフレームが、吊下げ支持用フレームの前方に位置し、互いに中央ワタリ部で連結され、そして、前記レンズフレームが直立した状態から後方にほぼ１８０度回動し、レンズ表面が裏面側に来るように設けられた事を特徴とする眼鏡。
【請求項２】
レンズフレームが、吊下げ支持用フレームフロント部の後方に位置し、互いに中央ワタリ部で連結され、そして、前記レンズフレームが直立した状態から後方にほぼ１８０度回動し、レンズ表面が裏面側に来るように設けられた事を特徴とする眼鏡。
【請求項３】
前記レンズフレームが回動しレンズ表面が裏面側に来るようになった時、折り畳まれたテンプルによりレンズ表面が保護される様に設けられた事を特徴とする請求項1又は２の何れか1項に記載の眼鏡。
【請求項４】
前記レンズフレームが直立した状態から後方にほぼ１８０度回動する間、任意の位置又は決められた位置で停止状態が保持出来るように設けられた事を特徴とする請求項１又は２の何れか１項に記載の眼鏡。
【請求項５】
少なくとも一枚以上のレンズを有するレンズフレームと該レンズフレーム長軸方向にほぼ平行に延び左右後端部にテンプルが接続可能な吊り下げ支持用フレームとが、前記レンズフレームが吊下げ支持用フレームの前方になる様な状態に配置され、そして、該吊り下げ支持用フレーム上辺中央ワタリ部で前記レンズフレームと互いに回動可能な状態に連結され、そして、前記レンズフレームが吊下げ支持用フレーム長軸方向に平行な軸を中心として前方から後方へ、ほぼ１８０度の範囲内で摩擦力を持って回動可能にされ、且つ、前記１８０度の範囲内の任意の位置、又は決められた位置で停止状態が保持出来るようにされた事を特徴とする眼鏡。
【請求項６】
前記レンズフレームが回動しレンズ表面が裏面側に来るようになった時、折り畳まれたテンプルによりレンズ表面が保護される様に設けられた事を特徴とする請求項５に記載の眼鏡。
【請求項７】
ノーズ足部、ノーズパッドが前記レンズフレーム側に設けられた事を特徴とする請求項１又は２若しくは5の何れか１項に記載の眼鏡。
【発明の詳細な説明】
【技術分野】
【０００１】
本発明は、レンズ保護機能付き眼鏡及びそれに付随した傾斜角度調整機能を有する多焦点用眼鏡にも関する。
【背景技術】
【０００２】
従来、レンズ保護眼鏡としてそのテンプルを使用し眼鏡レンズの表面を傷等から守る為に提案された眼鏡がある。例えば、（１）特公昭５２−２０２７０号の様に、ブリッジの中央部を回転させて、そのＶ型突出部を山の切込みに嵌合したものや、（２）実公平０１−３２０２４号のように、ツルをケース化し智部を支軸にして１８０度回動可能にしてレンズをカバーした物や、（３）特許３０８７１７５号の様に、テンプル先端部鉤型にしてテンプルを折り畳んだ時に該先端部がフロントから突出してレンズを保護するようにした物があった。
【先行技術文献】
【特許文献】
【０００３】
【特許文献１】特公昭５２−２０２７０号
【特許文献２】実公昭０１−３２０３４号
【特許文献３】特許３０８７１７５号
【発明の概要】
【発明が解決しようとする課題】
【０００４】
しかしながら、上記（１）の特公昭５２−２０２７０号に於いては、中央ブリッジの回転部に於いて、Ｖ型突出部と山の切り込みの回動がスムーズに廻り難く、且つ折り畳んだ時嵩張ってしまった。
【０００５】
又、上記(２)の実公平０１−３２０２４号に於いては、収納携帯には便利であるが、実際に掛ける場合耳掛け部分が太く掛け難く、見栄えも悪かった。
【０００６】
そして、上記（３）の特許３０８７１７５号の場合は、机上に置いておく場合は良いが、携帯する場合、特に衣服に入れて持ち運ぶ場合突出部が邪魔になり衣服に引っ掛かり損傷してしまう事も生じてしまった。又、上記何れの技術にもフロントフレームが傾斜して傾斜角度を調整出来る多焦点用眼鏡の機能は付いていない。
【課題を解決するための手段】
【０００７】
そこで本発明に於いては、上記課題を解決する為に、レンズフレームが、吊下げ支持用フレームの前方に位置し、互いに中央ワタリ部で連結され、そして、前記レンズフレームが直立した状態から後方にほぼ１８０度回動し、レンズ表面が裏面側に来るように設け、そして、折り畳まれたテンプルによりレンズ表面が保護される様にし、更に、前記レンズフレームが直立した状態から後方にほぼ１８０度回動する間、任意の位置又は決められた位置で停止状態が保持出来るように設けた。
【０００８】
そして、レンズフレームが、吊下げ支持用フレームの後方に位置し、互いに中央ワタリ部で連結され、そして、前記レンズフレームが直立した状態から後方にほぼ１８０度回動し、レンズ表面が裏面側に来るように設け、折り畳まれたテンプルによりレンズ表面が保護される様にし、更に、前記レンズフレームが直立した状態から後方にほぼ１８０度回動する間、任意の位置又は決められた位置で停止状態が保持出来るように設けた。
【０００９】
次に、少なくとも一枚以上のレンズを有するレンズフレームと該レンズフレーム長軸方向にほぼ平行に延び左右後端部にテンプルが接続可能な吊り下げ支持用フレームとが、前記レンズフレームが吊下げ支持用フレームの前方になる様な状態に配置され、そして、該吊り下げ支持用フレーム上辺中央ワタリ部で前記レンズフレームと互いに回動可能な状態に連結され、そして、前記レンズフレームが吊下げ支持用フレーム長軸方向に平行な軸を中心として前方から後方へ、ほぼ１８０度の範囲内で摩擦力を持って回動可能にされ、且つ、前記１８０度の範囲内の任意の位置、又は決められた位置で停止状態が保持出来るようにし、  そして、前記レンズフレームが回動しレンズ表面が裏面側に来るようになった時、折り畳まれたテンプルによりレンズ表面が保護される様に設けた。
【発明の効果】
【００１０】
上記手段を採用する事により、従来の様にレンズ裏面でテンプルを折り畳む事も可能であり、更に、レンズ表面でテンプルを折り畳み、レンズを保護する事も出来、その結果、テンプルの干渉もなく折り畳め、嵩張らずに済む。更に、衣服に入れ携帯する場合も引っ掛かる事無くスムーズに出し入れが可能で、確実にレンズの保護も出来る事となった。又、レンズフレームが直立した状態から後方にほぼ１８０度の範囲内で、停止状態が保持できる機能、即ち、傾斜角度調整機能が出来る事により、多焦点用眼鏡枠として大いに利用可能である。又、見栄えも悪くなく、デザインの応用範囲も広い。
【図面の簡単な説明】
【００１１】
【図１】本発明の実施例の要部側面図
【図２】本発明の実施例の要部平面図
【図３】本発明の他の実施例の要部側面図
【図４】図３の要部平面図
【図５】本発明の実施例の要部斜視図
【図６】本発明の実施例の折り畳み後の全体斜視図
【図７】回動機構の周知技術参考図
【図８】回動機構の周知技術参考図
【図９】回動機構の周知技術参考図
【図１０】回動機構の周知技術参考図
【図１１】回動機構の周知技術参考図
【図１２】回動機構の周知技術参考図
【図１３】回動機構の周知技術参考図
【発明を実施するための形態】
【００１２】
レンズフレームが、吊下げ支持用フレームの前方に位置し、互いに中央ワタリ部で連結され、そして、前記レンズフレームが直立した状態から後方にほぼ１８０度回動し、レンズ表面が裏面側に来るように設け、折り畳まれたテンプルによりレンズ表面が保護される様にし、更に、前記レンズフレームが直立した状態から後方にほぼ１８０度回動する間、任意の位置又は決められた位置で停止状態が保持出来るように設けた。
【実施例１】
【００１３】
図１は本発明の実施例の要部側面図であり、レンズフレーム１０が、吊下げ支持用フレーム２０の前方に位置し、互いに中央ワタリ部３０、３２で連結され、そして、前記レンズフレームが直立した状態から後方にほぼ１８０度回動し、レンズ表面１１が裏面側Ｂに来るように設けられた状態を表しており、前記１８０度回動の際は、任意の位置、即ち、どの位置でも停止状態を保持できる様に、摩擦力を持って回動可能な様に連結部で連結されている。そして、１８０度回転されて、Ｔ２の位置になった時、テンプル４０を折り畳むとレンズ表面１１の前にテンプルが折り畳まれレンズ保護の役目を果たす。又、Ｔ１の位置で使用する場合は、多焦点レンズ用の眼鏡として下方視野の途切れが無い様に機能性を発揮する。勿論、レンズフレームが通常の直立した状態、Ｔ１の位置の場合、Ｔ２の位置の場合、それぞれの決まった位置でのみ停止状態を保持できる様にしても良い。
【００１４】
次に図２は、本発明の実施例の図１の要部平面図であり、レンズフレーム１０，１０が吊り下げ支持用フレーム２０，２０の前方に位置した状態から、互いに連結されているワタリ部３０，３２で、この場合は、レンズフレーム１０，１０のワタリ３２を回動軸とし、吊下げ支持用フレーム２０，２０のワタリ部３０を軸受けとして後方へ回動し、レンズ表面１１が裏面側にくる様にされる。勿論、軸受けをレンズフレームのワタリ部に設け、回動軸を吊り下げ支持用フレームのワタリ部に設けても良い。そして、テンプル４０，４０が内側に折り畳まれる。このレンズフレームと吊下げ支持用フレームの関係は相対的であるので、テンプルを後方から前方に回転させても同じ様になる。
【００１５】
図３は本発明の他の実施例の要部側面図であり、この場合は、レンズフレーム１０ａが、吊下げ支持用フレームフロント部２０ａの後方に位置し、互いに中央ワタリ部で連結され、そして、前記レンズフレームが直立した状態から後方にほぼ１８０度回動し、レンズ表面１１ａが裏面側Ｂ２に来るように設けられている。そして、前記１８０度回動の際は、任意の位置、即ち、どの位置でも停止状態を保持できる様に、摩擦力を持って回動可能な様に連結部で連結されている。そして、１８０度回転されて、Ｔ２の位置になった時、テンプル４０を折り畳むとレンズ表面１１の前にテンプルが折り畳まれレンズ保護の役目を果たす。又、Ｔ１の位置で使用する場合は、多焦点レンズ用の眼鏡として下方視野の途切れが無い様に機能性を発揮する。
【００１６】
図４は図３の場合の要部平面図であり、レンズフレーム１０ａが、吊下げ支持用フレームフロント部２０ａの後方に位置し、互いに中央ワタリ部３０ａ，３２ａで連結され、そして、前記レンズフレームが直立した状態から後方にほぼ１８０度回動し、レンズ表面１１ａが裏面側Ｂ２に来るように設けられている。そして、前記１８０度回動の際は、任意の位置、即ち、どの位置でも停止状態を保持できる様に、摩擦力を持って回動可能な様に連結部で連結されている。そして、１８０度回転されて、テンプル４０ａを折り畳むとレンズ表面１１ａの前にテンプルが折り畳まれレンズ保護の役目を果たす。
【００１７】
図５は本発明の実施例のレンズフレーム１０ｃ、１０ｃが、吊下げ支持用フレーム２０ｃ、２０ｃの前方に位置し、互いに中央ワタリ部３０ｃ、３２ｃで連結され、そして、前記レンズフレームが直立した状態から後方にほぼ１８０度回動し、レンズ表面が裏面側に来るように設けられた場合の要部斜視図であり、この状態から矢印Ｑ方向に回転又は回動する。又、ノーズパッド５０、はレンズフレーム１０ｃ、１０ｃ側に設けられていた方が好ましい。
【００１８】
図６は図５の状態からレンズフレーム１０ｃを１８０度回動させ、そしてテンプル４０ｂ、４０ｂを折り畳み、レンズ表面を手前にした全体斜視図である。この状態で机上に置く場合はテンプル４０ｂ、４０ｂにより、レンズが保護される。又、衣服に入れる場合もレンズ表面が保護される。
【００１９】
又、多焦点眼鏡としては、眼鏡を掛けた状態で、片手でレンズフレーム下方の左右縁どちらかを手前に少し回転させるだけで、自分の好みの角度だけ傾斜出来、読書、手元の細かい作業・仕事、書類調べ等に非常に有用である。
【００２０】
又、上記ワタリ部の回動機構の構造は、どのような構造でも構わない、例えば、その様な周知の技術としては、登録実用新案第３０７７５８１号の図７（本図面番号では図７）の様に、回転パイプの穴に挿通しているアーム線材を回転パイプの穴内周面との摩擦を起させ任意の位置でサングラスを停止させる回動機構や、同じく特開平１０−１９７８３３号の図２、図３、図４、図５(本図面では、図８〜１１)の様に円柱状の軸受けの中芯穴に線状回動体を嵌め込み停止保持を図った回動機構や、同じく特開２００３−２４１１４９号の図３（本図面では、図１２）の様に金属製パイプに金属線を嵌め曲げプレスにより塑性変形させ摩擦力を持って金属線を回動させる機構などの構造も周知で利用可能である。
【００２１】
又、回動機構としてバネとパイプ軸受け、そして線材軸等を利用しても良く、例えば、登録実用新案第３１２１７３０号の図５（本図面では図１３）の様に、回転軸ホルダーと回転軸、及び弾性体で摩擦力と得て無段階可動固定動作機構のような構造でも良く、又、回動機構として丁番を使用したものとしては、実開平０２−５１３１６号や登録実用新案第３０２６１９１号（何れも図示なし）のような機構でも良い。勿論、跳ね上げの場合とは違って反対側に、即ち顔面側に回すので構造的には反対の構造になる。
【００２２】
そして、又、回動させる際は、段階的に停止させる様な手段を設けても良い。勿論、新しい構造の回動機構でも構わない。
【産業上の利用可能性】
【００２３】
多焦点用の眼鏡のみならず、車のダッシュボードに置きっ放しになるサングラスや、一寸掛けて直ぐ外しておく老眼鏡にも大いに使用出来、応用の幅は広い。
【符号の説明】
【００２４】
（図１〜図６迄は、以下の符号で、図７〜１３は異なる）
１０    レンズフレーム
１１    レンズ表面
２０  吊り下げ用支持フレーム    
２０b  吊下げ支持用フレームヨロイ部
３０  軸受け
３２  回動軸
４０  テンプル
５０  ノーズパッド
Ｂ      裏面側
【図２】
2011133628.tif 000003
【図３】
2011133628.tif 000004
【図４】
2011133628.tif 000005
【図５】
2011133628.tif 000006
【図６】
2011133628.tif 000007
【図７】
2011133628.tif 000008
【図８】
2011133628.tif 000009
【図９】
2011133628.tif 000010
【図１０】
2011133628.tif 000011
【図１１】
2011133628.tif 000012
【図１２】
2011133628.tif 000013
【図１３】
2011133628.tif 000014
【図１】
2011133628.tif 000015